(57)【特許請求の範囲】
【請求項１】
イカ釣り用擬似針の複数の各々を整列させて収容する為の収容具であって、
このイカ釣り用擬似針収容具Ａは、基板１と、基板１の上面板１ａの長手方向に沿って定間隔Ｌを置いて配列取着されている複数のイカ釣り用擬似針収容部２ａ〜２ｉより成り、上記イカ釣り用擬似針収容部２ａ〜２ｉの各々には、このイカ釣り用擬似針収容部２ａ〜２ｉの各々内にその出入口Ｎよりイカ釣り用擬似針１０ａ〜１０ｉの各々を収容した時に、イカ釣り用擬似針１０ａ〜１０ｉ各々の傘状釣針１３を磁気吸着する為の永久磁石４ａ〜４ｉが配設され、上記イカ釣り用擬似針収容部２ａ〜２ｉの各々は基板１に対して傾斜を成して取付けられているイカ釣り用擬似針収容具に於いて、上記基板１は、金属製の上面板１ａと上面板１ａの前後各々に於いて下方へ延びる前後板１ｂ，１ｃより成り全体としてコ字状をなし、希土類より成る永久磁石９が内部に配設された固定保持具Ｂのケース５の上面板５ａに基板１を嵌合して磁気吸着保持されることを特徴とするイカ釣り用擬似針収容具。
【請求項２】
上記イカ釣り用擬似針収容部２ａ〜２ｉの各々は円筒状に形成され、その上部開口が出入口Ｎとして区画されていると共に下部近傍に底板を兼ねて上記希土類より成る永久磁石４ａ〜４ｉが配設されていることを特徴とする請求項１記載のイカ釣り用擬似針収容具。
【請求項３】
上記基板１の上面板１ａの端にオモリ収容部３が設けられていることを特徴とする請求項１又は請求項２記載のイカ釣り用擬似針収容具。
【請求項４】
上記固定保持具Ｂは、ケース５を構成する上面板５ａの裏面に永久磁石９を備え、ケース５の長手方向で２分割されヒンジ８によって２つ折可能に構成されていることを特徴とする請求項１記載のイカ釣り用擬似針収容具。
【請求項５】
上記基板１の上面板１ａの後部に斜板１４が傾斜して取り付けられ、この斜板１４の面に沿って上面板１ａ上にイカ釣り用擬似針収容部２ａ〜２ｉが傾斜して取り付けられていることを特徴とする請求項１記載のイカ釣り用擬似針収容具。
【発明の詳細な説明】
【０００１】
【発明の属する技術分野】
本発明は、イカ釣り用擬似針収容具に係わり、更に詳しくはイカ釣りを行なっている時に、イカ釣り用擬似針の複数を整列させ且つ収容した状態で磁気吸着保持できるようにした考案に関する。
【０００２】
【従来の技術】
周知の通り、釣りをする際、大小様々な複数本の釣り針及びハリスを予め用意しておく、このような場合、釣り針は小さくて軽いので、単に放置しておくと、風により、ハリスと針がおまつりを生じ、針に餌をつけるのに糸がからまったりして大変手間どる。
そこで本出願人は先に特開２００１−１７８３４０号にて金属製の釣り針固定保持具を提案した。
これは、金属ケースの内部に永久磁石を内蔵し、上記内蔵した永久磁石の磁気吸着力をケースに伝達し、ケースの面上において複数の釣り針を整列した態様で磁気吸着するようにしたものである。
【０００３】
【発明が解決しようとする課題】
上記によれば、釣り針が金属ケースの面上に磁気吸着保持されるのでハリスと針がおまつりを生ずることがなく、釣りを効率よく安全に行なうことができる。
しかしながら、釣り針にも種々あり、中でもイカ釣り用擬似針は、針の先に傘状の針が形成されているので、このようなイカ釣り用擬似針を上記従来技術の金属ケースの面上に磁気吸着させただけでは、傘状の針部分が金属ケースの面上に於いてそのまま外部に露出しているので釣りの最中に手先に触れたりして安全上好ましくなく、結局イカ釣りの効率を害してしまうおそれがある。
【０００４】
そして特に、金属ケースの面上に磁気吸着させた時に、傘状の針部分のどこの部分が磁気吸着されるかで、イカ釣り用擬似針の金属ケース上での固定姿勢が種々の態様となり、複数のイカ釣り用擬似針の方向性が揃わないこととなり、即ち、金属ケースの面上に磁気吸着されていても整列さに欠けることとなり、イカ釣りの効率を上昇させるのに障害となる場合があった。
【０００５】
本発明はこのような点に鑑み成されたもので、その目的とするところは、傘状の針部をもつイカ釣り用擬似針の複数の各々を一定の姿勢に整列、且つ収容した態様で磁気吸着保持することによって糸と針のおまつり状態を防止でき而も取扱いが安全で且つイカ釣り用擬似針を海中へ投入しやすくし、イカ釣りの効率を上げる手段を提供するにある。
【０００６】
【課題を解決する為の手段】
上記目的を達成する為に次の技術的手段を有する。即ち実施例の対応する添付図面の符号を用いてこれを説明すると、本発明は、イカ釣り用擬似針の複数の各々を整列させて収容する為の収容具に於いて、
このイカ釣り用擬似針収容具Ａは、基板１と、基板１の上面板１ａの長手方向に沿って定間隔Ｌを置いて配列取着されている複数のイカ釣り用擬似針収容部２ａ〜２ｉより成り、上記イカ釣り用擬似針収容部２ａ〜２ｉの各々には、このイカ釣り用擬似針収容部２ａ〜２ｉの各々内にその出入口Ｎよりイカ釣り用擬似針１０ａ〜１０ｉの各々を収容した時に、イカ釣り用擬似針１０ａ〜１０ｉ各々の傘状釣針１３を磁気吸着する為の永久磁石４ａ〜４ｉが配設され、上記イカ釣り用擬似針収容部２ａ〜２ｉの各々は基板１に対して傾斜を成して取付けられ、而も上記基板１が、金属製の上面板１ａと上面板１ａの前後各々に於いて下方へ延びる前後板１ｂ，１ｃより成り全体としてコ字状をなし、希土類より成る永久磁石９が内部に配設された固定保持具Ｂのケース５の上面板５ａに基板１を嵌合して磁気吸着保持されることを特徴とする。
【０００７】
又本発明は、上記イカ釣り用擬似針収容部２ａ〜２ｉの各々が円筒状に形成され、その上部開口が出入口Ｎとして区画されていると共に下部近傍に底板を兼ねて希土類より成る永久磁石４ａ〜４ｉが配設されていることを特徴とする。
【０００８】
更に本発明は、上記基板１の上面板１ａの端にオモリ収容部３が設けられていることを特徴とする。
【０００９】
更に本発明は、上記固定保持具Ｂが、ケース５を構成する上面板５ａの裏面に永久磁石９を備え、ケース５の長手方向で２分割されヒンジ８によって２つ折可能に構成されていることを特徴とする。
【００１０】
又本発明は、基板１の上面板１ａの後部に斜板１４を取り付けこの斜板１４の面に沿って上面板１ａ上にイカ釣り用擬似針収容部２ａ〜２ｉを傾斜して取り付けたイカ釣り用擬似針収容具でもある。
【００１１】
【発明の実施の形態】
次に添付図面に従い本発明の好ましい実施形態を説明する。
先ず、図１〜図４に従い本発明の第一の実施態様を詳細に説明する。
符号Ａはイカ釣り用擬似針収容具全体（以下に於いては単に収容具Ａと記載する。）を示し、これは細長い基板１と、基板１に長手方向に沿って所定の間隔Ｌを置いて形成された複数のイカ釣り用擬似針収容部２ａ〜２ｉ（以下に於いては単に針収容部２ａ〜２ｉと記載する。）と、基板１の端に形成されたオモリ収容部３より成る。
【００１２】
これを詳細に説明すると、基板１は金属製より成り、例えば幅５ｃｍ〜１０ｃｍ、長さ３０ｃｍ〜１ｍ程度（勿論これは例示であって幅、長さはイカ釣りの態様に合わせて適宜なものとしてよい。）であり、断面がコ字状を呈している。即ち、上面板１ａと、それに対して一体的に連なり前後各々に垂設されている前、後板１ｂ，１ｃより成る。
【００１３】
次いで上記針収容部２ａ〜２ｉについて説明すると、この例では各々金属製の円筒状に形成され、その下部が基板１の上面板１ａに取付固定され、その上部が開口したままとされ、その開口が針収容部２ａ〜２ｉの出入口Ｎとして区画されている。
そして、円筒状の内部の下方に希土類より成る永久磁石４ａ〜４ｉが各々取付固定されている。とりわけ、この針収容部２ａ〜２ｉの各々は基板１の上面板１ａに対して傾斜して、即ち取付傾斜角Ｑをもって取付られている。上記傾斜角Ｑは２０°〜７０°の範囲が望ましい。
勿論この実施例では、針収容部２ａ〜２ｉの各々を円筒状として示したが、角筒状でもよく、又は全体が筒状でなくても、筒状の上部の方は部分的に欠していてもよい。要は、イカ釣り用擬似針１０ａ〜１０ｉ（以下単に針１０ａ〜１０ｉと記載する。）の傘状釣針１３部分を外部に露出することなく収容でき、且つ針１０ａ〜１０ｉを傾斜した態様で整列保持できればよい。
【００１４】
次に基板１の上面板１ａの端部にはオモリ収容部３が設けられている。このオモリ収容部３は円筒状であり、基板１の上面板１ａに対して垂設されている。
【００１５】
続いて針収容具Ａ全体を取付保持する為の固定保持具Ｂについて説明する。
これは細長い箱状に形成された金属製のケース５を有する。つまり上面板５ａと前後面板５ｂ，５ｃと、底板５ｄより成ると共に左右面板５ｅ，５ｆより成る。上記の左右面板５ｅ，５ｆは各々左右方向に折曲げられて水平に延設され脇板５ｇ，５ｈとして区画されている。
【００１６】
そして底面板５ｄと、左右の脇板５ｇ，５ｈの下面には滑り止め機能を有するゴム板６が貼設され、且つ左右の脇板５ｇ，５ｈの上面にもゴム板７が貼設されている。
【００１７】
更に上記ケース５及びゴム板６は、長手方向に沿った中央部分で２分割され、該２分割部分にヒンジ８が設けられ２つ折に開閉できるようになっている。
つまり常時はヒンジ８によって全体を伸ばした状態とし、ケース５をまっすぐに延ばした態様として用い、逆に格納等する時にヒンジ８によって折曲げた状態とするものである。この折曲げによりケース５の右部分の底面のゴム板６とケース５の左部分の底面のゴム板６同士を接触させて全体を重ねる迄折たたむことができる。
【００１８】
ところで、上記ケース５の内部には、上面板５ａの裏面に貼付けた態様で希土類より成る永久磁石が収容されている。
【００１９】
これを用いるには、固定保持具Ｂを、そのヒンジ８を利用して全体をまっすぐに延ばし、イカ釣り船等の船縁に設置する。次いで収容具Ａを固定保持具Ｂに磁気吸着させる。つまり収容具Ａの基板１の上面板１ａの下面を、固定保持具Ｂのケース５の上面板５ａ上に載せる。この時基板１の前後板１ｂ，１ｃが、ケース５の前後面板５ｂ，５ｃを前後から挟むようにして嵌合させる。すると、上面板５ａの裏面に於ける永久磁石９によって基板１がケース５上に磁気吸着されて固定保持される。
勿論、この例では収容具Ａを固定保持具Ｂによって磁気吸着する例を示したが、収容具Ａの基板を保持する為の他の手段を用いて収容具Ａを直接船縁に固定してもよい。
【００２０】
そして、上記収容具Ａを固定保持具Ｂ上に磁気吸着させる時、傾斜している各収容部２ａ〜２ｉの各々が海側に向いて傾斜するように取付ける。
【００２１】
そしてイカ釣り時、これを用いるには糸１２によって連ねられている針１０ａ〜１０ｉを各々の収容部２ａ〜２ｉに入れる。且つオモリ１１をオモリ収容部３に入れる。
上記収容部２ａ〜２ｉに入れられた各針１０ａ〜１０ｉは、その傘状釣針１３部分が永久磁石４ａ〜４ｉによって磁気吸着されて保持される。而も円筒状の収容部２ａ〜２ｉが海側に向って傾斜しているので斜めになった態様で整列保持される。而も傘状釣針１３部分は外部に露出されることはない。
【００２２】
イカ釣り時、このイカ釣り用のハリスを海中に投入する際は、収容部２ａ〜２ｉが海に向って斜め態様になっているので、各針１０ａ〜１０ｉは自然に円筒状の収容部２ａ〜２ｉの出入口Ｎから飛び出し、イカ釣りが円滑に実施できる。
而も、各針１０ａ〜１０ｉが各収容部２ａ〜２ｉ内に収められている時は、基板１の長手方向に沿って整列して磁気吸着保持されているから、糸１２と針がからまったりすることもない。又傘状釣針１３が収容部２ａ〜２ｉ内にあるので手を傷つけることなく安全である。
【００２３】
次に添付図面図５，図６に基き本発明の第二の実施態様を詳細に説明する。
説明の便宜上、第一の実施態様と同一の部所は同一の符号を符す。
この例は基板１に関し、上面板１ａのみとし、その代り後部から斜め上方に立上がる斜板１４を上面板１ａに連ねる。
上記上面板１ａに対する斜板１４の傾斜角度Ｑは第一の実施態様と略同じ２０℃〜７０℃の範囲が望ましい。
【００２４】
そして、この実施態様で示すイカ釣り用擬似針収容部２ａ〜２ｉの各々は半円筒状部１５とその左右に位置する取付板部１６，１７より成り、上記取付板部１６，１７を斜板１４の面に対して溶接等により固定することにより、半円筒状部１５と斜板１４の面によって囲まれた擬似針収容部２ａ〜２ｉの各々が形成される。
【００２５】
このイカ釣り用擬似針収容部２ａ〜２ｉの各々は斜板１４の傾斜角Ｑに沿って形成されている為、基板１の上面板１ａに対して傾斜角Ｑをもって形成される
ことになり、各イカ釣り用擬似針収容部２ａ〜２ｉの各々には図６によりよく示されているように希土類より成る永久磁石４ａ〜４ｉが収容固定されている。そして、これら各々の上部が出入口Ｎとして区画されている。
【００２６】
更にこの実施態様では平たい基板１の上面板１ａの下面と脇板上に各々ゴム板１８，１９を貼り付けてある。
【００２７】
この第二の実施態様の場合、上記構成に基くと、船縁等に上記基板１を置く。裏面のゴム板１８がその際滑り止めとなる。この場合、斜板１４が海側に位置するようにしてセットする。
そしてイカ釣り用擬似針１０ａ〜１０ｉの各々をイカ釣り用擬似針収容部２ａ〜２ｉの各々の中に収容する。各擬似針１０ａ〜１０ｉの各々は、その傘状釣針１３部分が永久磁石４ａ〜４ｉの各々によって磁気吸着保持され、収容部２ａ〜２ｉの各々が斜めになっているので、各擬似針１０ａ〜１０ｉの各々は斜板１４に寄りかかるようにして収容されることになる。
【００２８】
そしてイカ釣り時には、釣糸１２を引き出せば各擬似針１０ａ〜１０ｉは収容部２ａ〜２ｉの各々から引き出され、海中に投下される。
【００２９】
上記のように、イカ釣り用擬似針１０ａ〜１０ｉの各々は半円筒状部１５と斜板１４によって囲まれた各収容部２ａ〜２ｉの中に収容され、その傘状釣針１３が外部に露出することがないので安全であり、而も永久磁石によって磁気吸着されているので、しっかりと保持される。
且つ、基板１の長手方向に沿って各収容部２ａ〜２ｉが並設されているので、イカ釣り用擬似針１０ａ〜１０ｉを収容した時でも、海中へ投下する時でもイカ釣り用擬似針１０ａ〜１０ｉは互いにからまったりすることがない。とりわけ基板１の上面板１ａと斜板１４より成るので、取付場所に於いて斜めに寄りかかるようにして全体をセットできる。
【００３０】
【効果】
以上詳述した如く、請求項１記載の発明によると、傘状の釣り針をもつイカ釣り用擬似針の複数の各々を、斜め状態の一定の姿勢にて磁気吸着により整列、保持できるので、糸と針のおまつり状態を有効に防止できると共に、傘状の釣り針部分が外部に露出することなく収容できるから釣り針を安全に取扱うことができ、而も海側に向って斜めの姿勢にて整列、保持されるのでイカ釣り用擬似針を海中へ投入し易くすることができる。従ってイカ釣りの効率を上げることができる。
【００３１】
又請求項２記載の発明によるとイカ釣り用擬似針収容部が円筒状に形成されていると共に永久磁石を磁気吸着力の強い希土類磁石としたので、上記利点に加えてイカ釣り用擬似針をより収容しやすく、且つ磁気吸着保持させ易い。
【００３２】
請求項３記載の発明によると上記利点に加えてオモリをも、併せて整列態様にて収容できる。
【００３３】
請求項４記載の発明によると上記利点に加えてイカ釣り用擬似針収容具を船縁に取りつけ易い。更に請求項５記載の発明によると、上記利点に加えて固定保持具を格納等しやすい。
【００３４】
更に請求項６，７記載の発明によると、上記利点の他取付場所に於いて、全体を寄りかかるようにしてセットしやすい利点がある。
【図面の簡単な説明】
【図１】    本発明の第一の実施態様を示し、イカ釣り用擬似針収容具を固定保持具に保持せしめて、その使用態様を示した斜視図である。
【図２】    図１に示した実施態様のイカ釣り用擬似針収容具を、固定保持具から外脱した態様を示す斜視図である。
【図３】    図１の３−３線に沿う断面図である。
【図４】    図３の４−４線に沿う断面図である。
【図５】    本発明の第二の実施態様のイカ釣り用擬似針収容具を示した斜視図である。
【図６】    図５の６−６線に沿う断面図である。
【符号の説明】
Ａ      イカ釣り用擬似針収容具
１      基板
１ａ    基板の上面板
１ｂ，１ｃ    基板の前後板
２ａ〜２ｉ    イカ釣り用擬似針収容部
Ｎ            イカ釣り用擬似針収容部の出入口
３            オモリ収容部
４ａ〜４ｉ    イカ釣り用擬似針吸着永久磁石
Ｂ            固定保持具
５            ケース
５ａ          上面板
５ｂ，５ｃ    前後面板
５ｄ          底板
５ｅ，５ｆ    左右面板
５ｇ，５ｈ    脇板
６，７        ゴム板
８            ヒンジ
９            永久磁石
１０ａ〜１０ｉ    イカ釣り用擬似針
１１          オモリ
１２          釣糸
１３          イカ釣り用擬似針の傘状釣針
１４          斜板
１５          半円筒状部
１６，１７    取付板部
１８，１９    ゴム板
Ｑ            ケースの上面板に対するイカ釣り用擬似針収容部の取付傾斜角
Ｌ            イカ釣り用擬似針収容部間の取付間隔
【図１】
0003658614.tif 000002
【図２】
0003658614.tif 000003
【図３】
0003658614.tif 000004
【図４】
0003658614.tif 000005
【図５】
0003658614.tif 000006
【図６】
0003658614.tif 000007